(57)【要約】【課題】水圧を低下させることなく死水の発生を防止するスプリンクラーヘッドの接続継手を得る。【解決手段】給水管１４内の上水に圧力変動が生じると、給水管１４内の上水と連通する上水部屋３８内の上水にも圧力変動が生じる。上水部屋３８内の上水に圧力変動が生じると、蛇腹筒状の弾性部材７０が拡縮し、上水部屋３８の容積が変動する。上水部屋３８の容積が変動すると、上水部屋３８に入り込んだ上水は本体管部３０を流れる上水と共に攪拌され、接続継手１６内に上水が長期間停滞するという死水が発生しない。このように、弾性部材７０を拡縮させることで、接続継手１６内の水圧を低下させることなく死水の発生を防止することができる。【選択図】図１
2010046255.tif 000002
【特許請求の範囲】
【請求項１】
上水道から分岐した給水管の途中に設けられる本体管部と、
前記本体管部から分岐して下方へ延設されると共に、開口部にスプリンクラーヘッドが取り付けられる分岐管部と、
前記分岐管部の内部に設けられ、前記本体管部から流れた上水が入り込み、前記本体管部を流れる上水の水圧変動を受けて拡縮する拡縮手段と、
を有するスプリンクラーヘッドの接続継手。
【請求項２】
前記拡縮手段は、弾性材料で成形されて蛇腹筒状とされる請求項１に記載のスプリンクラーヘッドの接続継手。
【請求項３】
前記拡縮手段は、前記分岐管部の内壁から隙間を空けて決められた間隔で設けられた支持部材の間に設けられ、前記本体管部から流れ込んだ上水を囲むように設けられた弾性部材である請求項１に記載のスプリンクラーヘッドの接続継手。
【発明の詳細な説明】
【技術分野】
【０００１】
本発明は、上水道配管を利用したスプリンクラー設備において上水道から分岐した給水管とスプリンクラーヘッドとを接続するスプリンクラーヘッドの接続継手に関する。
【背景技術】
【０００２】
特許文献１に記載のスプリンクラーヘッドの接続継手では、給水管と接続される水平管部に水の流れを攪乱させるジャマ板が設けられている。このジャマ板を設けることで、水平管部から分岐して先端部にスプリンクラーヘッドが固定される分岐管部の内部に滞留する水が攪拌される構成となっている。
【０００３】
つまり、分岐管部の内部に滞留する水をジャマ板により攪拌することで、接続継手内に水が長期間停滞するという死水の発生を防止するようになっている。
【０００４】
【特許文献１】特開２００７−８２６６２号公報
【発明の開示】
【発明が解決しようとする課題】
【０００５】
しかしながら、この接続継手では、ジャマ板により分岐管部の内部の水を攪拌するため、分岐管部の内部の水圧が低下してしまうことが考えられる。
本発明は、上記事実を考慮し、水圧を低下させることなく死水の発生を防止することが課題である。
【課題を解決するための手段】
【０００６】
本発明の請求項１に係るスプリンクラーヘッドの接続継手は、上水道から分岐した給水管の途中に設けられる本体管部と、前記本体管部から分岐して下方へ延設されると共に、開口部にスプリンクラーヘッドが取り付けられる分岐管部と、前記分岐管部の内部に設けられ、前記本体管部から上水が入り込み、前記本体管部を流れる上水の水圧変動を受けて拡縮する拡縮手段と、を有することを特徴とする。
【０００７】
上記構成によれば、上水道を通って給水管へ流れ込んだ上水が、給水管の途中に設けられた本体管部を流れる。
そして、本体管部を流れる上水の一部は、本体管部から分岐して下方へ延設される分岐管部へ向けて流れる。
【０００８】
ここで、拡縮手段が、本体管部を流れる上水の水圧変動を受けて拡縮する。拡縮手段が拡縮することで、本体管部から入り込んだ上水は本体管部を流れる上水と共に攪拌され、接続継手内に上水が長期間停滞するという死水が発生しない。
【０００９】
このように、拡縮手段を拡縮させることで、水圧を低下させることなく死水の発生を防止することができる。
【００１０】
本発明の請求項２に係るスプリンクラーヘッドの接続継手は、請求項１に記載において、前記拡縮手段は、弾性材料で成形されて蛇腹筒状とされることを特徴とする。
【００１１】
上記構成によれば、蛇腹筒状とされた拡縮手段の蛇腹部が本体管部を流れる上水の水圧変動を受けて効果的に変形し、拡縮手段が拡縮する。
このように、拡縮手段を蛇腹筒状とすることで、拡縮手段を効果的に拡縮させることができる。
【００１２】
本発明の請求項３に係るスプリンクラーヘッドの接続継手は、請求項１に記載において、前記拡縮手段は、前記分岐管部の内壁から隙間を空けて決められた間隔で設けられた支持部材の間に設けられ、前記本体管部から流れ込んだ上水を囲むように設けられた弾性部材であることを特徴とする。
【００１３】
上記構成によれば、支持部材の間に設けられた弾性部材が本体管部を流れる上水の水圧変動を受けて振動して拡縮する。
このように、弾性部材を振動させることで、弾性部材を効果的に拡縮させることができる。
【発明の効果】
【００１４】
本発明によれば、水圧を低下させることなく死水の発生を防止することができる。
【発明を実施するための最良の形態】
【００１５】
本発明の第１実施形態に係るスプリンクラーヘッドの接続継手の一例を図１〜図４に従って説明する。
【００１６】
（全体構成）
図４に示されるように、上水道としての水道本管１０から蛇口１２へ向けて分岐させた給水管１４の途中には、接続継手１６を介して閉鎖型のスプリンクラーヘッド３６が取付けられている。そして、このスプリンクラーヘッド３６は、部屋２０の天井を構成する天井ボード２２に設けられた円孔２４を通って部屋２０に突出するように設けられている。
【００１７】
（要部構成）
図１に示されるように、接続継手１６は、給水管１４を流れる上水の通り道に設けられる円筒状の本体管部３０と、本体管部３０から分岐して下方へ延設される分岐管部３２を備えて構成されている。
【００１８】
さらに、分岐管部３２の開口部（下端）には、接続部材３４を介して閉鎖型スプリンクラーヘッド３６が設けられている。
【００１９】
分岐管部３２の内部に配置される接続部材３４には、本体管部３０に向けて開放される上水部屋３８が形成されている。また、上水部屋３８は、キャップ４０によって常態では閉止されている放水口４２に隣接し、さらに、上水部屋３８の断面積は、放水口４２の断面積よりも充分に大きく形成されている。
【００２０】
また、スプリンクラーヘッド３６には、放水口４２を閉止するキャップ４０を支持するバランサー５０が設けられており、さらに、バランサー５０を支持するアーム支持板５２及びリンク押さえ板５４に係止される左右のアーム５６、５８が設けられている。さらに、スプリンクラーヘッド３６の下端部には、火災発生時に受熱する感熱板６０が設けられている。
【００２１】
この構成において、火災発生により感熱板６０が受熱されると、ヒューズ６２が融けてアーム５６、５８がアーム支持板５２及びリンク押さえ板５４から解除され、アーム支持板５２、感熱板６０、リンク押え板５４、アーム５６、５８、バランサー５０、キャップ４０は何れも落下して放水口４２は開放される。放水口４２が開放されることで、デフレクタ６４が降下して散水が始まる構成となっている。
【００２２】
一方、スプリンクラーヘッド３６の上方に設けられた上水部屋３８には、上水部屋３８の容積を変動させる拡縮手段としての蛇腹筒状の弾性部材７０（図２参照）が上水部屋３８の側壁を構成するように設けられている。
【００２３】
弾性部材７０は、例えばＥＰＤＭゴムやシリコンゴム等で形成されており、弾性変形自在とされている。この弾性部材７０は、接続部材３４に形成されたフランジ部３４Ａと底部３４Ｂに挟まれ、弾性部材７０の上下端部はフランジ部３４Ａ及び底部３４Ｂに加硫接着にて固定されている。
【００２４】
さらに、図１、図３に示されるように、弾性部材７０の背面（上水部屋３８と接する面と反対側の面）には、空間が設けられており、弾性部材７０は、上水部屋３８の水圧を受けて拡縮可能とされている。
【００２５】
（作用・効果）
図４に示されるように、蛇口１２を開閉すると、給水管１４内に流れる上水に圧力変動（ウォーターハンマー等）が生じる。
【００２６】
図１に示されるように、給水管１４内の上水に圧力変動が生じると、給水管１４内の上水と連通する上水部屋３８内の上水にも圧力変動が生じる。上水部屋３８内の上水に圧力変動が生じると、蛇腹筒状の弾性部材７０が拡縮し、上水部屋３８の容積が変動する。
【００２７】
さらに、上水部屋３８の容積が変動すると、上水部屋３８に入り込んだ上水は本体管部３０を流れる上水と共に攪拌され、接続継手１６内に上水が長期間停滞するという死水が発生しない。
【００２８】
このように、弾性部材７０を拡縮させることで、接続継手１６内の水圧を低下させることなく死水の発生を防止することができる。
また、従来のようにジャマ板を設ける構造と比較して、流路抵抗を増加させることなく死水の発生を防止することができる。
【００２９】
また、従来のようにジャマ板を設ける構造と比較して、弾性部材７０を拡縮させて上水を攪拌させる構成であるため、分岐管部３２の上下方向の長さを長くすることができる。
また、分岐管部３２の内側に弾性部材７０を配置する構成となっているため、スプリンクラーヘッドの形状に制限されることなく死水の発生を防止することができる。
【００３０】
また、給水管１４内の上水に生じた圧力変動を弾性部材７０で吸収することで給水管１４内の圧力変動（ウォーターハンマー現象）を緩和させることができる。
【００３１】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、弾性部材７０を接続部材３４に固定させたが、分岐管部３２の内壁面に直接取り付けてもよい。
【００３２】
次に本発明の第２実施形態に係るスプリンクラーヘッドの接続継手の一例について図５に従って説明する。
なお、第１実施形態と同一部材については、同一符号を付してその説明を省略する。
【００３３】
図５に示されるように、第２実施形態では、第１実施形態と違い上水部屋３８を構成する側壁は、決められた間隔で設けられた支持部材８０と、この支持部材８０の間に設けられた弾性部材８２で構成されている。
【００３４】
詳細には、上水部屋３８の側壁を構成する支持部材８０は、周方向に沿って等間隔に配置されている。さらに、隣接する支持部材８０の間には、弾性材料で形成された板状の弾性部材８２が備えられ、弾性部材８２の端部は支持部材８０に加硫接着により固定されている。
【００３５】
この構成により、上水部屋３８内の上水に圧力変動が生じると、弾性部材８２が拡縮し、上水部屋３８の容積が変動する。
【００３６】
さらに、上水部屋３８の容積が変動すると、上水部屋３８に入り込んだ上水は本体管部３０を流れる上水と共に攪拌され、接続継手１６内に上水が長期間停滞するという死水の発生を防止することができる。
【図面の簡単な説明】
【００３７】
【図１】本発明の第１実施形態に係るスプリンクラーヘッドの接続継手を示した断面図である。
【図２】本発明の第１実施形態に係るスプリンクラーヘッドの接続継手に採用された弾性部材を示した斜視図である。
【図３】本発明の第１実施形態に係るスプリンクラーヘッドの接続継手の分岐管部の断面図である。
【図４】本発明の第１実施形態に係るスプリンクラーヘッドの接続継手が採用された配管システムの概略構成図である。
【図５】本発明の第２実施形態に係るスプリンクラーヘッドの接続継手の分岐管部の断面図である。
【符号の説明】
【００３８】
１４        給水管
１６        接続継手
３０        本体管部
３２        分岐管部
３６        スプリンクラーヘッド
３８        上水部屋
７０        弾性部材（拡縮手段）
８０        支持部材
８２        弾性部材（拡縮手段）
【図１】
2010046255.tif 000003
【図２】
2010046255.tif 000004
【図３】
2010046255.tif 000005
【図４】
2010046255.tif 000006
【図５】
2010046255.tif 000007